(57)【要約】【課題】開口からの異物の出入りを低減できるレンズ駆動装置を提供する。【解決手段】レンズユニット１ａは、レンズホルダ１４の底部に、ベース１１上に形成された開口１１ａの全周囲を包囲する突起１４ａが形成されている。突起１４ａは、開口１１ａから異物がでていくのを遮断する。また、ベース１１上にはダストトラップ剤２０が塗布されており、異物が捕捉される。【選択図】図３
2009251517.tif 000002
【特許請求の範囲】
【請求項１】
レンズ、および、レンズを保持するレンズホルダを備えた可動部と、
可動部を光軸方向に移動させる駆動部と、
可動部を内部に収容するとともに、光軸方向の両端部に、光を透過させるための開口が形成された収容部とを備えており、
少なくともレンズホルダおよび収容部の一方に、少なくとも一方の開口の全周囲を包囲する突起が形成されていることを特徴とするレンズ駆動装置。
【請求項２】
上記突起と、レンズホルダまたは収容部とが、互いに当接していることを特徴とする請求項１に記載のレンズ駆動装置。
【請求項３】
上記駆動部が駆動していない定常状態時に、上記突起と、レンズホルダまたは収容部とが、互いに当接することを特徴とする請求項２に記載のレンズ駆動装置。
【請求項４】
上記突起は、上記開口のうち、光出射側の開口の全周を包囲するように形成されていることを特徴とする請求項１〜３のいずれか１項に記載のレンズ駆動装置。
【請求項５】
上記収容部は、レンズホルダの底面との対向面が、凹凸形状になっていることを特徴とする請求項４に記載のレンズ駆動装置。
【請求項６】
上記収容部におけるレンズホルダの底面との対向面上に、粘着材が塗布されていることを特徴とする請求項４または５に記載のレンズ駆動装置。
【請求項７】
上記収容部の凹部は、収容部とレンズホルダとの間に形成された、光軸方向の隙間の直下に形成されていることを特徴とする請求項５または６に記載のレンズ駆動装置。
【請求項８】
上記収容部の凹部は、光出射側の開口の近傍に形成されていることを特徴とする請求項５または６に記載のレンズ駆動装置。
【請求項９】
上記突起が、レンズホルダの底面に形成されており、
上記突起の少なくとも一部が、収容部に形成された凹部に挿入されていることを特徴とする請求項８に記載のレンズ駆動装置。
【請求項１０】
上記駆動部が駆動していない定常状態時、および、駆動部が駆動している駆動状態時のいずれにおいても、上記突起の少なくとも一部が、収容部に形成された凹部に挿入されていることを特徴とする請求項９に記載のレンズ駆動装置。
【請求項１１】
上記突起が、収容部におけるレンズホルダの底面との対向面に形成されていることを特徴とする請求項４に記載のレンズ駆動装置。
【請求項１２】
上記レンズホルダの底面に凹部が形成されており、
上記突起の少なくとも一部が、レンズホルダに形成された凹部に挿入されていることを特徴とする請求項１１に記載のレンズ駆動装置。
【請求項１３】
上記駆動部が駆動していない定常状態時、および、駆動部が駆動している駆動状態時のいずれにおいても、上記突起の少なくとも一部が、収容部に形成された凹部に挿入されていることを特徴とする請求項１２に記載のレンズ駆動装置。
【請求項１４】
上記可動部を光出射側に押圧する押圧部をさらに備えることを特徴とする請求項１〜１３のいずれか１項に記載のレンズ駆動装置。
【請求項１５】
請求項１〜１４のいずれか１項に記載のレンズ駆動装置と、レンズ駆動装置のレンズを通して受光した光信号を電気信号に変換する固体撮像素子とを備えたカメラモジュール。
【発明の詳細な説明】
【技術分野】
【０００１】
本発明は、レンズ駆動装置およびそれを備えたカメラモジュールに関する。より詳細には、本発明は、携帯電話等の電子機器に搭載されるカメラモジュールと、そのようなカメラモジュールに好適に利用できるレンズ駆動装置とに関し、特にセンサー面へのゴミの落下の防止または低減するための構造に関する。
【背景技術】
【０００２】
近年、携帯電話の多くに、カメラモジュールが搭載されている。しかも、高機能のカメラモジュールの搭載率が増加傾向にある。例えば、レンズ駆動装置を備えたオートフォーカス機能を有するカメラモジュールが搭載される。
【０００３】
レンズ駆動装置は、ＶＣＭ（Voice Coil Motor ボイスコイルモータ）タイプ、ステッピングモータを利用するタイプ、圧電素子を利用するタイプなど、様々なタイプが存在し、すでに市場に流通している。
【０００４】
例えば、特許文献１には、ＶＣＭタイプのレンズ駆動装置が、開示されている。図１０は、特許文献１のレンズ駆動装置の断面図である。図１０のレンズ駆動装置２００は、レンズ２０１を中央に搭載したホルダ２０２を備えている。ホルダ２０２の上下には、板バネ２０３Ｕ，２０３Ｌが、設けられている。これにより、レンズ２０１が、光軸方向に可動するように、ホルダ２０２が支持される。
【０００５】
また、ホルダ２０２のフランジ部には、コイル２０４が固定されている。コイル２０４は、ヨーク２０５内に収容されている。ヨーク２０５の内側面には、コイル２０４と間隔をおいて対向配置された永久磁石２０６が形成されている。このような構成により、レンズ駆動装置２００は、電磁力による駆動が可能となる。
【０００６】
一方、ベース２０７には、３つの突起２０８が形成されている。レンズ駆動装置２００の組立て状態では、各突起２０８がホルダ２０２を支持している。
【０００７】
ヨーク２０５の上方に設けられたカバー２０９の中央部、および、ベース２０７の中央部には、それぞれ、開口２１０，２１１が形成されている。開口２１０，２１１は、光を透過させるためのものである。
【特許文献１】特開２００６−５０６９３（２００６年２月１６日公開）
【発明の開示】
【発明が解決しようとする課題】
【０００８】
しかし、従来のレンズ駆動装置では、開口から異物が出入りしやすいという問題がある。
【０００９】
具体的には、図１０のように、ホルダ２０２およびコイル２０４と、ヨーク２０５および永久磁石２０６との間には、光軸方向に伸びた隙間Ｇが、必ず存在する。また、カバー２０９には、開口２１０が形成されている。このため、カバー２０９の開口２１０からゴミまたは埃等の異物が侵入すると、その異物が、隙間Ｇを通って、ベース２０７上に達する。
【００１０】
レンズ駆動装置２００では、ベース２０７に形成された開口２１１の周囲に、３つの突起２０８が形成されている。各突起２０８は、同心円上に等間隔に形成されている。このため、各突起２０８間を異物が移動し、開口２１１から異物が出ていってしまう。
【００１１】
なお、図１０では、板ばね２０３Ｕ，２０３Ｌが、隙間Ｇとベース２０７とを遮断しているようにみえる。しかし、板ばね２０３Ｕ，２０３Ｌは、渦巻状のパターンを有している。このため、板ばね２０３Ｕ，２０３Ｌによって、隙間Ｇからベース２０７上への異物の移動を妨げることはできない。
【００１２】
また、ホルダ２０２の底部にも、３つの突起２１２が形成されている。しかし、この突起２１２は、ベース２０７の上面に接触しない。このため、突起２１２によって開口２１１への異物の侵入を防ぐことはできない。従って、突起２０８と同様に、突起２１２間間を異物が移動し、開口２１１から異物が出ていってしまう。
【００１３】
レンズ駆動装置２００をカメラモジュールに適用した場合、レンズ駆動装置２００の下部に、固体撮像素子が配置される。また、固体撮像素子上に形成された受光部は、カバーガラスに覆われている。このため、前述のように、開口２１１から異物が出ていくと、その異物が、固体撮像素子上またはカバーガラス上に付着する。つまり、その異物が、光路内に侵入する。その結果、光路内の異物が、画像として認識され。カメラモジュールのシミとして不良の原因となる。
【００１４】
このように、特許文献１のレンズ駆動装置２００では、開口２１０，２１１から異物が出入りしやすい。さらに、レンズ駆動装置２００をカメラモジュールに適用した場合、光路内に異物が侵入する。しかし、特許文献１では、このような異物の対策は、全く検討されていない。このため。異物がレンズ駆動装置２００内を自由に移動する危険性がある。従って、時間の経過とともに、異物による問題が起きやすくなる。
【００１５】
そこで、本発明は、上記従来の問題点に鑑みてなされたものであり、その目的は、開口からの異物の出入りを低減できるレンズ駆動装置を提供することにある。また、別の目的は、光路内への異物の侵入を低減できるカメラモジュールを提供することにある。
【課題を解決するための手段】
【００１６】
本発明のレンズ駆動装置は、上記の課題を解決するために、
レンズと、レンズを保持するレンズホルダとを備えた可動部と、
可動部を光軸方向に移動させる駆動部と、
可動部を内部に収容するとともに、光軸方向の両端部に、光を透過させるための開口が形成された収容部とを備えており、
少なくともレンズホルダおよび収容部の一方に、少なくとも一方の開口の全周囲を包囲する突起が形成されていることを特徴としている。
【００１７】
上記の発明によれば、収容部には、光軸方向の両端部に開口が形成されている。このため、レンズの光入射側の開口を介して、外部から異物が侵入する可能性がある。また、レンズ駆動装置内から異物が発生することもある。さらに、このような異物は、光出射側の開口から出て行く可能性がある。このような異物は、特に、レンズ駆動装置をカメラモジュールとして適用した場合に、異物が光路内に入り、不良の原因となる。本発明のレンズ駆動装置は、このような異物対策として、突起を備えている。
【００１８】
すなわち、上記の発明によれば、レンズホルダまたは収容部の一方に、突起が形成されている。しかも、この突起は、収容部に形成された開口の少なくとも一方の全周囲を包囲している。これにより、突起が、各開口からの異物の出入りを妨げる。従って、各開口からの異物の出入りを低減することができる。
【００１９】
つまり、突起が光入射側の開口を包囲する場合、その開口から装置内への異物の侵入を低減することができる。一方、突起が光出射側の開口を包囲する場合、その開口から異物が出ていくのを低減することができる。
【００２０】
このように、突起は、各開口から異物が出入りする経路を遮断するように形成されていればよいといえる。
【００２１】
本発明のレンズ駆動装置では、上記突起と、レンズホルダまたは収容部とが、互いに当接していることが好ましい。
【００２２】
上記の発明によれば、開口を包囲する突起が、レンズホルダまたは収容部に当接している。これにより、突起が、異物の移動経路をより確実に遮断する。従って、各開口からの異物の出入りをより確実に低減することができる。
【００２３】
本発明のレンズ駆動装置では、上記駆動部が駆動していない定常状態時に、上記突起と、レンズホルダまたは収容部とが、互いに当接することが好ましい。
【００２４】
本発明のレンズ駆動装置では、駆動部が可動部を光軸方向に移動させる。レンズ駆動装置をカメラモジュールに適用した場合、レンズ機能を実行するときに、駆動部が可動部を光軸方向に移動させる。しかし、カメラ機能の使用時間よりも、未使用時間の方が圧倒的に長い。つまり、駆動部の駆動時間よりも、非駆動時間の方が長い。
【００２５】
上記の発明によれば、駆動部が駆動しない定常状態（ホームポジション）のときに、突起と、レンズホルダまたは収容部とが互いに当接する。つまり、駆動部の非駆動時間に、突起と、レンズホルダまたは収容部とが互いに当接する。これにより、定常状態時に、突起が、異物の移動経路を遮断する。従って、各開口からの異物の出入りをより確実に低減することができる。
【００２６】
本発明のレンズ駆動装置では、上記突起は、上記開口のうち、光出射側の開口の全周を包囲するように形成されていることが好ましい。
【００２７】
レンズ駆動装置内に侵入した異物、および、装置内で発生した異物は、収容部の底部に移動し、最終的には出射側の開口から出ていく。
【００２８】
上記の発明によれば、突起が、光出射側の開口の全周囲を包囲している。これにより、突起が、光出射側の開口から装置内の異物が出ていくのを妨げる。従って、装置内の異物が、光出射側の開口から出ていくのを低減することができる。
【００２９】
なお、上記の発明は、レンズホルダの底面、および、収容部におけるレンズホルダの底面との対向面の少なくとも一方に、光出射側に形成された開口の全周囲を包囲する突起が形成されている構成であるともいえる。すなわち、この構成では、レンズホルダの底面、および、収容部におけるレンズホルダの底面との対向面の少なくとも一方に、突起が形成されている。しかも、この突起は、レンズの光出射側に形成された開口の全周囲を包囲している。これにより、突起が、光出射側の開口から装置内の異物が出ていくのを妨げる。従って、レンズ駆動装置内に異物が侵入したり、発生したりしても、装置内の異物が、光出射側の開口から出ていくのを低減することができる。
【００３０】
本発明のレンズ駆動装置では、上記収容部は、レンズホルダの底面との対向面が、凹凸形状になっていることが好ましい。
【００３１】
上記の発明によれば、収容部におけるレンズホルダの底面との対向面が、凹凸形状になっている。これにより、その対向面上から光出射側の開口への異物の移動経路が複雑になる。従って、光出射側の開口から異物が出ていくのを確実に防ぐことができる。
【００３２】
本発明のレンズ駆動装置では、上記収容部におけるレンズホルダの底面との対向面上に、粘着材が塗布されていることが好ましい。
【００３３】
上記の発明によれば、収容部は、レンズホルダの底面との対向面上に、粘着材が塗布されている。言い換えれば、収容部は、光出射側の開口の外側に粘着材が塗布されている。これにより、収容部におけるレンズホルダの底面との対向面上に移動した異物を、粘着材によって捕捉することができる。従って、光出射側の開口から異物が出ていくのを確実に防ぐことができる。
【００３４】
なお、粘着材の塗布領域は特に限定されるものではないが、塗布領域が広ければ異物の捕捉効果を高めることができる。一方、塗布領域が狭ければ、粘着材の使用量を低減することができる。
【００３５】
例えば、上述の凹部に粘着材を塗布すれば、凹部に異物を滞留させることができる。また、光出射側の開口付近に粘着材を塗布すれば、その開口から異物が出ていく直前で、異物を粘着材によって捕捉することができる。
【００３６】
本発明のレンズ駆動装置では、上記収容部の凹部は、収容部とレンズホルダとの間に形成された、光軸方向の隙間の直下に形成されていることが好ましい。
【００３７】
上記の発明によれば、収容部に形成された凹凸形状のうちの凹部が、収容部とレンズホルダとの間に形成された、光軸方向の隙間の直下に配置されている。これにより、その隙間を経由して収容部に落下した異物を、落下直後に、凹部に捕獲することができる。
【００３８】
また、このとき凹部に粘着材が塗布されていれば、凹部に異物を滞留させることができる。つまり、その隙間を経由して収容部に落下した異物を、落下直後に、凹部に滞留させることができる。また、このとき凹部に粘着材が塗布されていれば、凹部に異物を滞留させることができる。
【００３９】
上記収容部の凹部は、光出射側の開口の近傍に形成されていることが好ましい。
【００４０】
上記の発明によれば、収容部に形成された凹凸形状のうちの凹部が、光出射側の開口近傍に形成されている。これにより、光出射側の開口から異物が出ていく直前に、凹部に異物を捕獲することができる。また、このとき凹部に粘着材が塗布されていれば、凹部に異物を滞留させることができる。
【００４１】
本発明のレンズ駆動装置では、上記突起が、レンズホルダの底面に形成されており、
上記突起の少なくとも一部が、収容部に形成された凹部に挿入されていることが好ましい。
【００４２】
上記の発明によれば、レンズホルダの底面に形成された突起の少なくとも一部が、収容部に形成された凹凸形状のうちの凹部に挿入されている。これにより、凹部が異物の移動経路を複雑にする。それに加えて、突起が、その移動経路をさらに複雑にする。従って、光出射側の開口から異物が出ていくのを確実に防ぐことができる。
【００４３】
本発明のレンズ駆動装置では、上記駆動部が駆動していない定常状態時、および、駆動部が駆動している駆動状態時のいずれにおいても、上記突起の少なくとも一部が、収容部に形成された凹部に挿入されていることが好ましい。
【００４４】
上記の発明によれば、駆動部の駆動状態に拘わらず、突起の少なくとも一部（少なくとも先端部）が、収容部に形成された凹凸形状のうちの凹部に挿入された状態となる。これにより、突起が、光出射側の開口への異物の移動経路を、常に遮断する。従って、光出射側の開口から異物が出ていくのを確実に防ぐことができる。
【００４５】
本発明のレンズ駆動装置では、上記突起が、収容部におけるレンズホルダの底面との対向面に形成されていることが好ましい。
【００４６】
上記の発明によれば、収容部におけるレンズホルダの底面との対向面に、突起が形成されている。これにより、その対向面上を異物が移動したとき、突起が堰として機能する。つまり、光出射側の開口へ移動する異物を、突起が堰きとめる。従って、光出射側の開口から異物が出ていくのを確実に防ぐことができる。
【００４７】
本発明のレンズ駆動装置では、上記レンズホルダの底面に凹部が形成されており、上記突起の少なくとも一部が、レンズホルダに形成された凹部に挿入されていることが好ましい。
【００４８】
上記の発明によれば、収容部に形成された突起の少なくとも一部が、レンズホルダの底面に形成された凹部に挿入されている。これにより、上述のように、レンズホルダの底面に形成された突起の少なくとも一部が、収容部に形成された凹部に挿入された場合と同様の効果が得られる。つまり、上記の発明によれば、凹部が異物の移動経路を複雑にする。それに加えて、突起が堰として機能するため、その移動経路をさらに複雑にする。従って、光出射側の開口から異物が出ていくのを確実に防ぐことができる。
【００４９】
本発明のレンズ駆動装置では、上記駆動部が駆動していない定常状態時、および、駆動部が駆動している駆動状態時のいずれにおいても、上記突起の少なくとも一部が、レンズホルダに形成された凹部に挿入されていることが好ましい。
【００５０】
上記の発明によれば、駆動部の駆動状態に拘わらず、突起の少なくとも一部（少なくとも先端部）が、レンズホルダの底面に形成された凹部に挿入された状態となる。これにより、突起が、光出射側の開口への異物の移動経路を、常に遮断する。従って、光出射側の開口から異物が出ていくのを確実に防ぐことができる。
【００５１】
本発明のレンズ駆動装置では、上記可動部を光出射側に押圧する押圧部をさらに備えることが好ましい。
【００５２】
上記の発明によれば、押圧部が、可動部を光出射側に押し付けるように与圧を加える。このため、特に、上記突起が、光出射側の開口の全周を包囲するように形成されており、突起と、レンズホルダまたは収容部とが互いに当接する構成において、確実に当接させることができる。これにより、突起が、異物の移動経路をより確実に遮断する。従って、各開口からの異物の出入りをより確実に低減することができる。
【００５３】
本発明のカメラモジュールは、上記の課題を解決するために、前記いずれかのレンズ駆動装置と、レンズ駆動装置のレンズを通して受光した光信号を電気信号に変換する固体撮像素子とを備えている。
【００５４】
上記の発明によれば、カメラモジュールが、本発明のレンズ駆動装置を備えている。このため、光路内への異物の侵入を低減することのできるカメラモジュールを提供することができる。
【発明の効果】
【００５５】
本発明のレンズ駆動装置は、レンズホルダまたは収容部の一方に、突起が形成されており、しかも、この突起が、収容部に形成された開口の少なくとも一方の全周囲を包囲している構成である。それゆえ、突起が、各開口からの異物の出入りを妨げる。従って、各開口からの異物の出入りを低減することができるという効果を奏する。
【発明を実施するための最良の形態】
【００５６】
以下、本発明の実施の形態について、図面に基づいて説明する。図１は、本発明のレンズ駆動装置を備えたカメラモジュールの断面図である。
【００５７】
図１のように、本発明のカメラモジュール１００は、レンズユニット（レンズ駆動装置）１と、撮像ユニット２とを組み合わせて製造されたものであり、レンズユニット１が、接着部３を介して、撮像ユニット２に搭載された構成となっている。以下の説明では、便宜上、レンズユニット１側を上方、撮像ユニット２側を下方とする。
【００５８】
まず、レンズユニット１ａについて説明する。図２は、本発明のレンズ駆動装置（レンズユニット１ａ）を示す斜視図である。
【００５９】
レンズユニット１ａは、被写体像を形成する撮影光学系である。つまり、レンズユニット１ａは、外部からの光を撮像ユニット２の受光面（撮像面）へ導く。
【００６０】
レンズユニット１ａは、図２のように、レンズ１２を保持したレンズバレル１３がレンズホルダ１４に固定されており、これらが、ベース１１，ヨーク１７，およびカバー１９により形成された空間内に、収容された構成となっている。なお、カバー１９には、光軸方向に、光を透過させるための開口１９ａが形成されている。これにより、レンズ１２，レンズバレル１３，およびレンズホルダ１４の一部が、この開口１９ａから露出している。
【００６１】
一方、図１のように、撮像ユニット２は、レンズユニット１によって形成される被写体像を、電気信号に変換する撮像部である。つまり、撮像ユニット２は、レンズユニット１から入射された入射光を光電変換するセンサデバイスである。
【００６２】
撮像ユニット２は、図１に示すように、配線基板２１上に、固体撮像素子２２を備えている。また、固体撮像素子２２は、配線基板２１上に設けられたホルダ２４内に収容される。なお、ホルダ２４の上部には、固体撮像素子２２を覆う透光性部材２３が配置されている。
【００６３】
配線基板２１は、図示しないパターニングされた配線を有する基板である。この配線によって、配線基板２１と固体撮像素子２２とが互いに電気的に接続される。配線基板２１は、例えば、プリント基板，またはセラミック基板などである。
【００６４】
固体撮像素子２２は、レンズユニット１で形成された被写体像を、電気信号に変換するものである。つまり、レンズユニット１のレンズ１２を通して受光した光信号を電気信号に変換するセンサデバイスである。固体撮像素子２２は、例えば、ＣＣＤまたはＣＭＯＳセンサーＩＣである。固体撮像素子２２の表面（上面）には、複数の画素がマトリクス状に配置された受光面（図示せず）が形成されている。この受光面は、レンズユニット１から入射される光を結像する領域であり、画素エリアとも言い換えられる。
【００６５】
固体撮像素子２２は、この受光面（画素エリア）に結像された被写体像を電気信号に変換して、アナログの画像信号として出力する。つまり、この受光面で、光電変換が行われる。固体撮像素子２２の動作は、図示しないＤＳＰで制御され、固体撮像素子２２で生成された画像信号は、ＤＳＰで処理される。
【００６６】
透光性部材２３は、固体撮像素子２２の受光面を覆っており、ガラスなどの透光性部材から構成されている。なお、本実施形態では、透光性部材２３の表面に、赤外線遮断膜が形成されている。このため、透光性部材２３は、赤外線を遮断する機能も備えている。
【００６７】
ここで、レンズユニット１ａについて、詳細に説明する。図３は、図２のレンズユニット１ａにおけるＡ−Ａ矢視断面図である。図３は、後述する駆動部が駆動していない状態（定常状態）を示している。
【００６８】
レンズユニット１ａは、光軸方向に可動する可動部と、可動部を内部に収容する収容部と、この可動部を光軸方向に移動させる駆動部とから構成されている。具体的には、可動部は、レンズ１２，レンズ１２を内部に保持したレンズバレル１３，および、レンズバレル１３を内部に保持するレンズホルダ１４とから構成される。
【００６９】
レンズバレル１３は、内部にレンズ１２を保持するための枠体である。一方、レンズホルダ１４は、レンズ１２を保持したレンズバレル１３を、内部に保持している。レンズ１２は、レンズバレル１３およびレンズホルダ１４の中央部に配置される。レンズバレル１３およびレンズホルダ１４は、いずれも中空（筒状）の部材である。
【００７０】
なお、本実施形態では、複数のレンズ１２を搭載したレンズバレル１３をレンズホルダ１４に固定している。しかし、レンズバレル１３およびレンズホルダ１４の一方におねじ、他方にめねじを形成しておき、レンズホルダ１４に対してレンズバレル１３の高さを調整可能にしてもよい。
【００７１】
一方、上記収容部は、ベース１１，ヨーク１７，およびカバー１９から構成される。ベース１１は、レンズユニット１ａの底部を構成する。つまり、ベース１１は、レンズユニット１ａの光出射側に配置される。ベース１１については後述する。
【００７２】
ヨーク１７は、筒状の部材であり、レンズユニット１ａの側面部を構成している。ヨーク１７は、内部に可動部を収容する。ヨーク１７はベース１１上に固定されている。本実施形態では、ヨーク１７の上方に、カバー１９が設けられている。カバー１９は、レンズユニット１ａの上部（天面）を構成している。
【００７３】
ベース１１の中央部には、開口１１ａが存在する。また、カバー１９の中央部にも、開口１９ａが形成されている。開口１１ａおよび開口１９ａは、光を透過させるためのものであり、光軸方向に形成されている。このように、収容部には、光入射側に開口１９ａ、光出射側に開口１１ａが形成されている。
【００７４】
なお、ヨーク１７自体が、カバーの役割を果たすことで、カバー１９を省略してもかまわない。この場合、開口１９ａは、ヨーク１７の内径となる。また、収容部は、駆動部の駆動によって移動しない。つまり、収容部は、固定部であるともいえる。
【００７５】
次に、駆動部は、コイル１６と永久磁石１８とから構成されている。本実施形態では、コイル１６と永久磁石１８との相互作用によって発生する電磁力によって、レンズ１２（レンズホルダ１４）を光軸方向に駆動することが可能となる。コイル１６は、レンズホルダ１４のフランジ部に固定されている。コイル１６は、光入射側（開口１９ａ側）に延設されている。一方、このコイル１６と対向するように、ヨーク１７の内側面には、永久磁石１８からなる磁気回路が配置されている。
【００７６】
さらに、本実施形態のレンズユニット１ａでは、レンズホルダ１４の上下面（天面および底面）には、板ばね１５ａ，１５ｂが設けられている。板ばね１５ａ，１５ｂは、可動部を光出射側に押圧する押圧部である。板ばね１５ａ，１５ｂは、渦巻状のパターンを有している。各板ばね１５ａ，１５ｂは、一端が可動部に、他端が収容部に固定されていればよい。本実施形態では、板ばね１５ａ，１５ｂは、一端がヨーク１７またはベース１１に、他端がレンズホルダ１４に固定されている。板ばね１５ａ，１５ｂは、弾性力により、補助的にレンズホルダ１４を光軸方向に可動に支持している。
【００７７】
ここで、レンズユニット１ａでは、光軸方向の両端部に、開口（光入射側の開口１９ａ，光出射側の開口１１ａ）が形成されている。このため、光入射側の開口１９ａを介して、外部から、レンズユニット１ａ内に異物が侵入する可能性がある。また、レンズユニット１ａ内から異物が発生することもある。さらに、このような異物は、光出射側の開口１１ａから出て行く可能性がある。
【００７８】
具体的には、カバー１９に形成された開口１９ａから異物が侵入した場合、あるいは、レンズユニット１ａ内から異物が剥がれ落ちた場合、これらの異物が、コイル１６と、ヨーク１７または永久磁石１８との隙間、および、板ばね１５ａ，１５ｂのパターンの隙間等を通って、ベース１１上にまで達する可能性がある。ベース１１上に達した異物が、光出射側の開口１１ａから出て光路内に入ると、シミ不良の原因となる。
【００７９】
そこで、本発明の最大の特徴は、レンズユニット１ａに、このような異物対策が施されていることである。すなわち、レンズユニット１ａは、このような異物対策として、レンズホルダ１４に突起１４ａが形成されている。
【００８０】
図５は、レンズホルダ１４の底面（裏面）を示す斜視図である。図５のように、突起１４ａは、レンズホルダ１４の底面に環状に形成されている。すなわち、この突起１４ａの内径は、ベース１１に形成された光出射側の開口１１ａよりも大きい。しかも、この突起１４ａは、開口１１ａを取り囲むように、開口１１ａの全周にわったって形成されている。これにより、開口１１ａへの異物の移動空間が狭くなる。つまり、突起１４ａが、ベース１１上から開口１１ａ側への異物の移動を妨げる。従って、レンズユニット１ａ内の異物が、開口１１ａから抜け出る可能性を大幅に低減することができる。
【００８１】
なお、異物が開口１１ａから抜け出て、下側に落下した場合、レンズユニット１ａの下側に設置される固体撮像素子２２、あるいは透光性部材（カバーガラス）２３に付着する。このため、付着した異物が画像として認識され、シミの原因となる。突起１４ａは、このようなシミの発生を大幅に低減することが可能となる。
【００８２】
このように、レンズユニット１ａでは、突起１４ａが、光入射側の開口１１ａを包囲している。さらに、この突起１４ａは、開口１１ａから異物が出ていく経路を遮断するように形成されている。従って、開口１１ａから異物が出ていくのを低減することができる。
【００８３】
しかも、本実施形態のレンズユニット１ａは、レンズ１２（レンズホルダ１４）が電磁力により、光軸方向に移動する構成である。上述のように、図３は、駆動部が駆動しておらず、レンズ１２（レンズホルダ１４）が移動していない状態（定常状態；ホームポジション）を示している。一方、図４は、駆動部が駆動し、レンズ１２（レンズホルダ１４）が最高位置に移動した状態を示している。つまり、図３の状態は、レンズ機能の未使用状態であり、図４の状態は、レンズ機能の使用状態であるといえる。
【００８４】
レンズユニット１ａでは、図３の定常状態時に、電磁力が作用すると、レンズ１２（レンズホルダ１４）が光軸方向に移動する。これにより、図４のように、レンズホルダ１４が、カバー１９に近接、あるいは接触するまで持ち上がる。そして、レンズユニット１ａでは、図３のように、レンズ機能の未使用状態である定常状態時に、突起１４ａと、ベース１１とが互いに接触している。つまり、駆動部の非駆動時間に、突起１４ａと、ベース１１とが互いに当接する。これにより、定常状態時に、突起１４ａが、異物の移動経路を遮断する。従って、開口１１ａから異物の出ていくのをより確実に低減することができる。
【００８５】
しかも、レンズユニット１ａは、図３の定常状態時に、突起１４ａがベース１１に当接しつつ、板ばね１５ａ，１５ｂの弾性力により、レンズホルダ１４が下方向に与圧がかけられている。つまり、板ばね１５ａ，１５ｂが、レンズホルダ１４を光出射側に押し付けるように与圧を加える。このため、突起１４ａと、ベース１１とを確実に当接させることができる。これにより、突起が、異物の移動経路をより確実に遮断する。従って、各開口からの異物の出入りをより確実に低減することができる。従って、開口１１ａから異物の出ていくのをより確実に低減することができる。
【００８６】
なお、図４の状態では、突起１４ａによって、ベース１１上の開口１１ａへの異物の移動経路を遮断する効果（開口１１ａに対する蓋効果）はなくなる。しかし、実際のカメラモジュール１００では、レンズ機能の使用時間（例えば、オートフォーカスの動作時間）よりも、未使用時間の方が圧倒的に長い。つまり、大半の時間は、レンズ機能の未使用状態である。このため、少なくとも定常状態時に、突起１４ａが、異物の移動経路を遮断していればよい。これにより、開口１１ａから異物の出ていくのを十分に低減することができる。また、固体撮像素子２２、あるいは透光性部材（カバーガラス）２３側への異物の落下を防ぐこともできる。
【００８７】
さらに、レンズユニット１ａでは、ベース１１は、レンズホルダ１４の底面との対向面に、溝１１ｂが形成されている。さらに、この対向面上には凸部も形成されており、この凸部に、板ばね１５ｂが配置されている。このように、ベース１１が凹凸形状になっていれば、ベース１１上から光出射側の開口１１ａへの異物の移動経路が複雑になる。従って、光出射側の開口１１ａから異物が出ていくのを確実に防ぐことができる。
【００８８】
なお、溝１１ｂおよび凸部は、開口１１ａの周囲の全域に形成されていてもよいし、部分的に形成されていてもよい。また、凹凸形状を複雑にすればするほど、開口１１ａから異物が出ていくのを確実に防ぐことができる。
【００８９】
また、溝１１ｂの形成部位は特に限定されるものではないが、レンズユニット１ａのように、コイル１６、永久磁石１８の真下に形成されていることが好ましい。つまり、溝１１ｂは、レンズホルダ１４のフランジ部およびコイル１６と、永久磁石１８との間に、光軸方向に形成された隙間Ａの真下に形成されていることが好ましい。このように溝１１ｂが形成されていれば、隙間Ａを経由してベース１１上に落下した異物を、落下直後に、溝１１ｂに捕獲することができる。
【００９０】
さらに、ベース１１の表面（レンズホルダ１４の底面との対向面）には、粘着材として、ダストトラップ剤２０が塗布されていることが好ましい。特に、ダストトラップ剤２０は、レンズユニット１ａのように、溝１１内に塗布されていることがより好ましい。これにより、ベース１１上に移動した異物を、ダストトラップ剤２０によって捕捉することができる。従って、光出射側の開口１１ａから異物が出ていくのを確実に防ぐことができる。さらに、溝１１ｂにダストトラップ剤２０が塗布されていれば、溝１１ｂに異物を滞留させることができる。つまり、上記の隙間Ａを経由してベース１１上に落下した異物を、落下直後に、溝１１ｂに滞留させることができる。
【００９１】
すなわち、レンズユニット１ａでは、ベース１１上のコイル１６および永久磁石１８の直下近傍にダストトラップ剤２０が塗布されている。このため、コイル１６と永久磁石１８との間の隙間Ａを通ってきた異物がそのまま落下すれば、このダストトラップ剤２０上に落下することになる。これにより、ダストトラップ剤２０が、異物を捕捉する。
【００９２】
ダストトラップ剤２０は、異物の経路中に塗布されていれば、異物を捕捉することができる。また、レンズユニット１ａでは、突起１４ａによって異物の経路が遮断される直前に、ダストトラップ剤２０を塗布されている。このため、行き場のなくなった異物の大半をダストトラップ剤２０で捕捉することが可能となる。
【００９３】
なお、ダストトラップ剤２０は、粘着材を有するものであれば、特に限定されるものではないが、例えば、半固体状（または固体に近い状態）の油脂や樹脂を適用することができる。例えば、グリースが好適である。グリースは、半固体状または液体に近い、油脂の一種であり、例えば、半固体状（または固体に近い状態）、または、ペースト状の潤滑剤から構成することができる。グリースは、例えば、二硫化モリブデン系潤滑剤，白色系潤滑剤，シリコーン系潤滑剤，パーフルオロポリエーテル系潤滑剤などを用いることができる。また、グリースは、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【００９４】
なお、レンズユニット１ａでは、レンズホルダ１４に突起１４ａが設けられていた。しかし、ベース１１に突起を形成することもできる。図６および図７は、ベース１１上に突起１１ｃが形成されたレンズユニット１ｂの断面図である。図６は、レンズユニット１ｂにおける定常状態を示しており、図７は、駆動部が駆動し、レンズ１２（レンズホルダ１４）が最高位置に移動した状態を示している。レンズユニット１ｂは、ベース１１に突起１１ｃが設けられている点が、レンズユニット１ａと異なる。それ以外の構成は、レンズユニット１ａと同様である。
【００９５】
突起１１ｃは、ベース１１上（レンズホルダ１４の底面との対向面上）に、光入射側に延びている。また、前述の突起１４ａと同様に、突起１１ｃの内径も、開口１１ａよりも大きい。さらに、突起１１ｃは、開口１１ａの周囲を全周にわたって取り囲むように形成されている。レンズユニット１ｂのように、ベース１１上に突起１１ｃを設けた場合も、レンズユニット１ａと同様に、開口１１ａから異物が出ていくのを低減することができる。
【００９６】
しかも、レンズユニット１ｂの場合、ベース１１上を異物が移動したとき、突起１１ｃが堰（壁）として機能する。つまり、光出射側の開口１１ａへ移動する異物を、突起が堰きとめる。従って、レンズユニット１ａの場合よりも、光出射側の開口１１ａから異物が出ていくのを確実に防ぐことができる。
【００９７】
さらに、レンズユニット１ｂの場合、、ベース１１上にダストトラップ剤２０を塗布しすぎたとしても、突起１１ｃが堰として機能するため、ダストトラップ剤２０が開口１１ａに漏れ落ちない。
【００９８】
突起１１ｃの形成部位は、ベース１１上であれば特に限定されるものではないが、開口１１ａ近傍に形成されていることが好ましい。これにより、ベース１１上の異物が、開口１１ａから出ていく直前に、突起１１ｃにより異物を堰きとめることができる。
【００９９】
レンズユニット１ａ，１ｂでは、図４および図７のように、レンズ機能の使用時には、突起１４ａ，１１ｃによって、開口１１ａへの異物の移動経路が、遮断されていない。つまり、レンズ機能の使用状態によって、異物が開口１１ａから出ていく可能性はある。
【０１００】
このため、レンズ機能の使用状態に関係なく（駆動部の駆動状態に関係なく）、開口１１ａへの異物の移動経路を遮断する構成とすることが好ましい。図８および図９は、常時、開口１１ａへの異物の移動経路を突起１４ａによって遮断するレンズユニットｃの断面図である。図８は、レンズユニット１ｃにおける定常状態を示しており、図９は、駆動部が駆動し、レンズ１２（レンズホルダ１４）が最高位置に移動した状態を示している。レンズユニット１ｃは、ベース１１の開口１１ａ近傍にも溝１１ｄが形成されており、突起１４ａがこの溝１１ｄに挿入される点が、レンズユニット１ａと異なる。それ以外の構成は、レンズユニット１ａと同様である。
【０１０１】
レンズユニット１ｃのように、開口１１ａの近傍に溝１１ｄが形成されていれば、光出射側の開口１１ａから異物が出ていく直前に、溝１１ｄに異物を捕獲することができる。なお、このとき溝１１ｄにダストトラップ剤２０を塗布しておけば、溝１１ｄ内に異物を滞留させることができる。
【０１０２】
しかも、レンズユニット１ｃでは、突起１４ａの少なくとも一部が、溝１１ｄに挿入されている。これにより、溝１１ｄが異物の移動経路を複雑にする。それに加えて、突起１４ａが、その移動経路をさらに複雑にする。従って、光出射側の開口１１ａから異物が出ていくのを確実に防ぐことができる。
【０１０３】
さらに、レンズユニット１ｃでは、駆動部の駆動状態に拘わらず（レンズ機能の使用状態に拘わらず）、突起１４ａの少なくとも一部が、溝１１ｄに挿入されていることが好ましい。これにより、常時、突起１４ａが、溝１１ｄに挿入された状態となる。これにより、突起１４ａが、光出射側の開口１１ａへの異物の移動経路を、常に遮断する。従って、光出射側の開口１１ａから異物が出ていくのを確実に防ぐことができる。
【０１０４】
なお、図８および図９の構成において、ベース１１に形成された溝１１ｄと、レンズホルダ１４に形成された突起１４ａとの関係（組み合わせ）は、逆にすることもできる。すなわち、ベース１１に突起が形成され、レンズホルダ１４にその突起が挿入される凹部が形成された構成であってもよい。つまり、この構成は、図６および図７の構成において、レンズホルダ１４の底面に、ベース１１に形成された突起１１ｃが挿入される溝（凹部）が形成された構成であるといえる。この構成でも、ベース１１に形成された突起１１ｃの少なくとも一部が、レンズホルダ１４の底面に形成された凹部に挿入される。このため、図８および図９の構成と同様の効果が得られる。つまり、この場合も、凹部が異物の移動経路を複雑にする。それに加えて、突起１１ｃが堰として機能するため、その移動経路をさらに複雑にする。従って、光出射側の開口１１ａから異物が出ていくのを確実に防ぐことができる。
【０１０５】
また、この場合も、駆動部の駆動状態に拘わらず（レンズ機能の使用状態に拘わらず）、突起１１ｃの少なくとも先端部が、レンズホルダ１４の底面に形成された凹部に挿入されていることが好ましい。これにより、常時、突起１１ｃが、レンズホルダ１４に形成された溝（周回溝）に挿入された状態となる。これにより、突起１１ｃが、光出射側の開口１１ａへの異物の移動経路を、常に遮断する。従って、光出射側の開口１１ａから異物が出ていくのを確実に防ぐことができる。
【０１０６】
このように、レンズユニット１ａ，１ｂ，１ｃは、突起１４ａ，１１ｃによって、ベース１１に形成された開口１１ａへの異物の経路を遮断する構成である。つまり、開口１１ａから異物がでていくのを低減する構成である。しかし、これらの構成に限定されるものではなく、開口１９ａからの異物侵入（レンズユニット１内への異物の侵入）を低減する構成とすることもできる。
【０１０７】
例えば、定常状態において、レンズホルダ１４とカバー１９を当接させ、カバー１９の開口１９ａに対して、レンズホルダ１４の突起によって蓋をするような構成とすることもできる。この構成では、開口１９ａを介して、レンズユニット内への異物の侵入を低減することが可能となる。このような構成の場合、レンズバレル１３上にダストトラップ剤を設けると、侵入路の手前で異物を捕捉することが可能となる。ただし、この構成の場合、異物やダストトラップ剤が外から見える位置に付着する。このため、レンズユニット１ａ，１ｂ，１ｃように、外観上は、突起１４ａまたは１１ｃが、ベース１１の開口１１ａの周囲を包囲する構成（開口１１ａから異物がでていく経路を遮断する構成）であることが好ましい。
【０１０８】
なお、本実施形態では、ＶＣＭ方式のレンズ駆動装置について説明した。しかし、本発明のレンズ駆動装置は、これに限定される訳ではなく、他の方式のレンズ駆動装置にも適用することができる。
【０１０９】
本発明は、以下のように表現することもできる。
【０１１０】
〔１〕本発明のレンズ駆動装置は、レンズを搭載したレンズホルダを含む可動部と、前記可動部を固定部に対して所定の空間を確保しつつ、前記レンズの光軸方向に可動に支持するための支持部材と、前記可動部を駆動するための駆動手段とを備えたカメラモジュール用レンズ駆動装置であって、
前記固定部は、前記光軸方向の両端に光透過のための開口を有するとともに、前記可動部は、前記駆動手段によって駆動されていない状態のホームポジションにおいて、前記開口のいずれかからの異物の出入りを遮断するように構成されていることを特徴とするものであるともいえる。
【０１１１】
〔２〕上記〔１〕のレンズ駆動装置において、前記レンズホルダと前記固定部とが、前記開口を内部に包含するように全周にわたって当接することにより、異物の出入りを遮断するものであってもよい。
【０１１２】
〔３〕上記〔１〕または〔２〕のレンズ駆動装置において、前記可動部は、前記固定部の開口のうち、カメラモジュールとしてセンサーが取り付けられる側の開口からの異物の出入りを遮断することで、レンズ駆動装置内部の異物をセンサー側に出さないものであってもよい。
【０１１３】
〔４〕上記〔３〕のレンズ駆動装置において、前記可動部を前記固定部に対してセンサー側に押し付けるように与圧が加えられていてもよい。
【０１１４】
〔５〕上記〔３〕または〔４〕のレンズ駆動装置において、前記遮断された開口とは反対側の領域に、異物を捕捉するためのダストトラップ剤を設けてもよい。
【０１１５】
〔６〕上記〔５〕のレンズ駆動装置において、前記ダストトラップ剤は、前記可動部と固定部の間の所定の空間の近傍に設けられていてもよい。
【０１１６】
〔７〕本発明のカメラモジュールは、上記〔１〕〜〔６〕のいずれかのレンズ駆動装置と、前記レンズを通して受光した光信号を電気信号に変換するためのセンサーを備えた構成であるともいえる。
【０１１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１８】
本発明は、特に、通信機器をはじめとする携帯用端末に搭載されるカメラモジュールに好適に利用することができ、センサー面へのゴミの落下の防止または低減することができる。
【図面の簡単な説明】
【０１１９】
【図１】本発明のカメラモジュールを示す断面図である。
【図２】図１のカメラモジュールにおけるレンズ駆動装置を示す斜視図である。
【図３】図２のレンズ駆動装置のＡ−Ａ矢視断面図であり、定常位置のレンズホルダを示している。
【図４】図２のレンズ駆動装置のＡ−Ａ矢視断面図であり、最高位置に移動したレンズホルダを示している。
【図５】図２のレンズ駆動装置におけるレンズホルダの裏面を示す斜視図である。
【図６】本発明のレンズ駆動装置の別の構成を示す断面図であり、定常位置のレンズホルダを示している。
【図７】図６のレンズ駆動装置において、最高位置に移動したレンズホルダを示す断面図である。
【図８】本発明のレンズ駆動装置のさらに別の構成を示す断面図であり、定常位置のレンズホルダを示している。
【図９】図８のレンズ駆動装置において、最高位置に移動したレンズホルダを示す断面図である。
【図１０】特許文献１のレンズ駆動装置を示す断面図である。
【符号の説明】
【０１２０】
１，１ａ，１ｂ，１ｃ  レンズユニット（レンズ駆動装置）
２  撮像ユニット
３  接着部
１１  ベース
１１ａ  開口（光出射側の開口）
１１ｂ  溝（凹部）
１１ｃ  突起
１１ｄ  溝（凹部）
１２  レンズ
１３  レンズバレル
１４  レンズホルダ
１４ａ  突起
１５ａ，１５ｂ  板ばね（押圧部）
１６  コイル（駆動部）
１７  ヨーク（収容部）
１８  永久磁石（駆動部）
１９  カバー（収容部）
１９ａ  開口（光入射側の開口）
２０  ダストトラップ剤（粘着材）
２１  配線基板
２２  固体撮像素子
２３  透光性部材
２４  ホルダ
Ａ  隙間（光軸方向の隙間）
【図１】
2009251517.tif 000003
【図２】
2009251517.tif 000004
【図３】
2009251517.tif 000005
【図４】
2009251517.tif 000006
【図５】
2009251517.tif 000007
【図６】
2009251517.tif 000008
【図７】
2009251517.tif 000009
【図８】
2009251517.tif 000010
【図９】
2009251517.tif 000011
【図１０】
2009251517.tif 000012